(57)【要約】【課題】サービス提供側にランニングコスト増の負担を削減する。【解決手段】サービス提供装置は、カード挿入部６１と、挿入されたデビットカードの種類を識別して、該デビットカードの情報を読み出す第一の処理部６と、サービスの選択と販売を行う第二の処理部７と、選択されたサービスの提供に関する情報を表示させる表示部７３とを備える。第一の処理部６は、デビットカードのシステムによる決済を行うために、デビットカードサービスのシステムと送受信する通信部を有し、第二の処理部７は、サービス提供装置の利用料を計算し、選択されたサービスの提供に関する金額と利用料及びそれらの合算金額情報をそれぞれ表示させる制御部とを有する。これにより、デビットカードでのサービス提供を広げ、利用料の表示を受けた後にサービス提供を選択でき、利用者の意図に合致したサービスを迅速かつ簡便にした環境で提供する。【選択図】　図２
2004013856.tif 000002
【特許請求の範囲】
【請求項１】
デビットカードのシステムによる決済方法に基づきサービスの提供を行うサービス提供装置であって、
デビットカードの挿入を受け付けるデビットカード挿入部と、
前記デビットカード挿入部に挿入されたデビットカードの種類を識別し、該デビットカードの情報を読み出す第一の処理部と、
前記サービスの選択と販売を行う第二の処理部と、
前記選択されたサービスの提供に関する情報を表示させる表示部とを有し、
前記第一の処理部は、デビットカードのシステムによる決済を行うために、管理センターと送受信する通信部をさらに有し、
前記第二の処理部は、サービス提供装置の利用料を計算し、選択されたサービスの提供に関する金額に、該利用料を合算した金額情報を出力し表示させる制御部とを、さらに有することを特徴とするサービス提供装置。
【請求項２】
前記サービスの提供は、プリペイドカードが販売されることにより行われることを特徴とする請求項１に記載のサービス提供装置。
【請求項３】
前記プリペイドカードは、パチンコ遊技台にて利用可能な遊技媒体の提供を行うことができることを特徴とする請求項２に記載のサービス提供装置。
【請求項４】
デビットカードのシステムによる決済方法に基づき、サービスの提供を行うサービス提供方法であって、
デビットカードの挿入を受け付けると、当該デビットカードの種類を識別し、情報を読み出し、提供するサービスの種類に応じた金額の選択を要求し、
前記金額の選択を受け付けると、サービス提供の利用料を計算し、前記金額に該利用料を合算した金額を計算し、該利用料を合算した金額情報を少なくとも表示し確認を求め、
前記確認を受け付けると、当該デビットカードの暗証番号の入力を要求し、
前記デビットカードの暗証番号の入力を受け付けると、前記読み出したデビットカードの情報および暗証番号を、デビットカードサービスの管理システムを通じて照会し、支払い処理を行うことを特徴とするサービス提供方法。
【発明の詳細な説明】
【０００１】
【発明の属する技術分野】
本発明は、デビットカード決済システムを利用してサービスの提供を行うものである。
【０００２】
【従来の技術】
近年、デビットカードを用いて取引の決済を行うデビットカードのシステムによる取引が活発化してきている。これは、日常携帯しているキャッシュカードで、その場で支払いできるカードとして利用できるものであり、利用者には特段の手数料なしに通常用いている銀行などのキャッシュカードによって、商品の購入やサービスの提供が受けられ、預金残高の範囲内で安心して買い物ができるという利点がある。
【０００３】
また、加盟店には確実にそして効率的に代金の回収が図れ、しかも顧客管理が容易になるという利点がある。さらに、金融機関には新規の顧客開拓がスムーズに図れるとともに手数料収入が得られるという利点がある。そのため、このようなデビットカードを用いてサービスの提供を行えば、利用者は通常持ち歩いているキャッシュカードで、たとえばパチンコ店での遊技媒体の貸し出しなどが受けられ非常に便利である。
【０００４】
【発明が解決しようとする課題】
しかしながら、デビットカードのシステムを用いてサービスの提供を行うには、当該カード手数料や金融機関の手数料を加盟店側が負担しなければならない。これは高額な機器の導入コストに加え、ランニングコストも発生するためカードの加入を見送る店舗も多い。とりわけ、パチンコ店などでは、パチンコ台やシステム全体の初期投資が大きいため、遊技者側からは取り扱いが便利で好ましい決済手法であるにもかかわらず、加盟店側のランニングコストを削減するため利用できない事態がしばしばあった。
【０００５】
本願発明はこのような不都合を解消するために発明されたもので、サービス提供側にランニングコスト増の負担を削減することが可能なサービス提供装置を提供することを目的とする。
【０００６】
【課題を解決するための手段】
上記目的を達成するため、本願における代表的な第一の発明は、デビットカードのシステムによる決済方法に基づきサービスの提供を行うサービス提供装置であって、デビットカードの挿入を受け付けるデビットカード挿入部と、デビットカード挿入部に挿入されたデビットカードの種類を識別し、該デビットカードの情報を読み出す第一の処理部と、サービスの選択と販売を行う第二の処理部と、選択されたサービスの提供に関する情報を表示させる表示部とを有し、第一の処理部は、デビットカードのシステムによる決済を行うために、管理センターと送受信する通信部をさらに有し、第二の処理部は、サービス提供装置の利用料を計算し、選択されたサービスの提供に関する金額に、該利用料を合算した金額情報を出力し表示させる制御部とを、さらに有することを特徴とする。
【０００７】
さらに、前記サービスの提供は、プリペイドカードが販売されることにより行われても良い。
【０００８】
さらに、前記プリペイドカードは、パチンコ遊技台にて利用可能な遊技媒体の提供を行っても良い。
【０００９】
また上記目的を達成するため、本願における代表的な第二の発明は、デビットカードのシステムによる決済方法に基づき、サービスの提供を行うサービス提供方法であって、デビットカードの挿入を受け付けると、当該デビットカードの種類を識別し、情報を読み出し、提供するサービスの種類に応じた金額の選択を要求し、金額の選択を受け付けると、サービス提供の利用料を計算し、金額に該利用料を合算した金額を計算し、該利用料を合算した金額情報を少なくとも表示し確認を求め、確認を受け付けると、当該デビットカードの暗証番号の入力を要求し、デビットカードの暗証番号の入力を受け付けると、読み出したデビットカードの情報および暗証番号を、デビットカードのシステムの管理システムを通じて照会し、支払い処理を行うことを特徴とする。
【００１０】
これにより、サービスの提供側はランニングコスト増の負担を削減したデビットカードを用いたサービスの提供を行うことができる。一方で、サービス利用者に対しても、デビットカードでのサービス提供装置の利用料の表示を受けた後にサービス提供を選択できるので、利用者の意図に合致したサービスを迅速かつ簡便にした環境で提供することができる。
【００１１】
【発明の実施の形態】
以下、本発明の実施の形態に係るサービス提供装置またはサービス提供方法について、図面を参照して説明する。図１は、本発明の実施形態に係るサービス提供装置およびサービス提供方法に関する概念図である。そして、図１には、遊技場（遊技店）１、ネットワーク２、デビットカードのシステム３、利用者口座４、加盟店口座５、デビットカード処理装置６、プリペイメント処理装置７、管理コンピュータ８、パチンコ台９およびデビットカード１０が示されている。
【００１２】
遊技場１は、ネットワーク２を介して、デビットカードのシステム３と接続されている。ここで、遊技場１は、パチンコホールのような遊技台を顧客に利用させ、その遊技台で遊技するための遊技媒体を貸し出す。そして、遊技場１は、本実施形態では、デビットカード処理装置６、プリペイメント処理装置７、管理コンピュータ８およびパチンコ台９を有する。顧客は、自己のデビットカード１０を利用して、パチンコ遊技場にてサービスの提供を受ける。
【００１３】
ネットワーク２は、インターネットを想定しているが、たとえばＬＡＮ（Ｌｏｃａｌ　Ａｒｅａ　Ｎｅｔｗｏｒｋ）などでも良い。デビットカードのシステム３は、デビットカードのシステムを管理運営する会社、団体またはシステムをいう。
【００１４】
利用者口座４は、デビットカードサービスを通じてサービスを受けた場合に代金が引き落とされる口座である。加盟店口座５は、デビットカードサービスを通じて、商品やサービスを販売した場合に代金が振り込まれる口座である。なお、これらの代金の引き落としや振込みは、デビットカードのシステム３を通じて行われる。
【００１５】
デビットカード処理装置６は、デビットカードを受け付けてサービスの提供を行うために設けられている。デビットカード処理装置６は、サービスの提供を受ける者のデビットカードが利用可能かどうかをデビットカードのシステム３に照会を行い、その情報を受けて決済処理を行う。このデビットカード処理装置６は、次に説明するプリペイメント処理装置７と接続されており、情報のやり取りを通じて、プリペイドカードを発券する。
【００１６】
プリペイメント処理装置７は、遊技媒体の情報が格納されたプリペイドカードを発券する。そして、このプリペイドカードの発券は、特に制限されないが、複数の金額から選択することができる。たとえば、１，０００円、５，０００円および１０，０００円の三種類のプリペードカードがあり、顧客はこの三種類の金額から一つを選択する。すると、その金額に換算された遊技媒体の情報が格納されたプリペイドカードが、プリペイメント処理装置７を介して発券される。
【００１７】
管理コンピュータ８は、遊技場１の内部に設置してある管理用のコンピュータで、パチンコ台９の管理や、プリペイメント処理装置７の管理を行っている。パチンコ台９は、顧客が遊技を行う遊技台で、プリペイメント処理装置７が発券するプリペイドカードの金額情報によって、パチンコ球を出して顧客に遊技を行わせる。
【００１８】
デビットカード１０は、デビットカードサービスに対応したキャッシュカードで、デビットカードサービスに参加している加盟店で買い物をしたり、サービスを受ける際に利用されるものである。デビットカードサービスとは、１９９９年１月４日から始まった、金融機関のキャッシュカードをそのまま使って買い物などの支払が出来る、新しい決済方法である。そして、買い物や食事、旅行、病院においてなどでの支払いが、手持ちのキャッシュカードで精算できる。デビットカードはキャッシュカードのため、それ自体に貨幣価値はない。なお、本発明で用いられるデビットカードは、ＩＣ内蔵のカードであってもよい。
【００１９】
このように構成された遊技場１の中で、プリペイメント処理装置７は、顧客がプリペイドカードをデビットカードで購入しようとした場合に、その遊技媒体自体の金額に、デビットカード処理装置６の装置利用料およびその合算金額を表示する。そして、顧客がその金額に応じると、デビットカードの照会処理を行う。デビットカードのシステム３から照会情報を受け取り、サービス提供が可能な場合は、顧客の選択したプリペイドカードの発券を行う。顧客は、そのプリペイドカードをパチンコ台９に設置されたプリペイドカードリーダーに差し込むと、情報が読み取られて、パチンコ玉が顧客に提供されて遊技が開始される。
【００２０】
このように本発明のサービス提供装置によれば、サービスの提供者がデビットカード利用による手数料を負担しなくても良いため、デビットカード用のサービス提供装置の普及が促進される。一方で、サービス利用者に対しても、デビットカード用サービス提供装置の利用料の表示の後に、サービスの提供を行うことができるので、利用者の意図に合致したサービスを迅速かつ簡便に提供することができる。
【００２１】
なお、本実施形態では、サービス提供装置を、パチンコ遊技場１におけるサービス提供装置に利用した場合の例を示しているが、他の用途に用いることは可能である。たとえば、お米券などの食料品と交換可能なプリペイドカード、交通機関の乗車券として機能するプリペイドカードでもよい。
【００２２】
さらに、プリペイドカードの代わりに商品そのものが提供されるサービス提供装置を排除するものではない。たとえば、飲料水の自動販売機で、デビットカードを用いて購入する場合に、顧客はサービス提供装置の利用料と当該商品の値段とそれらを合算した金銭情報の表示を受け、それに許諾する場合は商品を購入する。このように、プリペイドカードを用いずに、本発明の実施を図ることは可能である。
【００２３】
図２は、図１に示すサービス提供装置を、パチンコ店に利用した場合の外観構成例を示す図である。本実施形態におけるサービス提供装置は、デビットカード処理装置６とプリペイメント処理装置７が併設配置されて構成されている。そして、サービスの提供を受ける者は、まずデビットカード処理装置６にデビットカードを挿入して、プリペイメント処理装置７にて遊技媒体の貸出金額を選択する。デビットカードが利用可能の場合は、プリペイメント処理装置７は、顧客の要求に応じたプリペイドカードを発券する。
【００２４】
ここで、デビットカード処理装置６は、デビットカード挿入排出口６１、表示部６６、計算書排出部６７およびＰＩＮ投入キーが示されている。デビットカード挿入排出口６１は、デビットカードの挿入を受け付け、処理が終了した場合は排出する。表示部６６は、デビットカードの情報および口座引き落とし金額を表示するディスプレイであり、特に制限されないが液晶表示装置で構成される。計算書排出部６７は、デビットカード利用に関する料金が掲載されている計算書を排出する。ＰＩＮ投入キーはデビットカードの利用の際に要求されるＰＩＮ番号（暗証番号）を入力させるために設けている。
【００２５】
また、プリペイメント処理装置７は、表示部７３、プリペイドカード販売口７６、カード挿入口７８、金額選択ボタンおよび確認ボタンが示されている。表示部７３は、サービスの金額情報や処理情報を表示するディスプレイであり、特に制限されないが液晶表示装置で構成される。
【００２６】
プリペイドカード販売口７６は、購入したプリペイドカードを排出する。カード挿入口７８は、デビットカード以外のカードを受け付けることが可能である。デビットカード以外のカードとしては、すでに発行したプリペイドカード（クレジットカードなども含む）である。金額選択ボタンは、提供を受ける遊技媒体の金額券種選択させるボタンである。図の例では、１０，０００円、２０，０００円および３０，０００円の三種類があるが、金額は必要に応じて変更できる。
【００２７】
確認ボタンは、表示部７３でサービスの金額情報を表示させて、顧客に確認を取るために設けられている。顧客がプリペイドカードをデビットカードで購入しようとした場合に、そのプリペイドカード自体の金額と、デビットカード処理装置６の装置利用料およびその合算金額を表示する。そして、顧客がその金額に応じると、デビットカードの照会処理を行う。
【００２８】
たとえば、顧客が２０，０００円のプリペイドカードの購入を、デビットカードで行う場合を例に以下に説明する。まず、顧客はデビットカード１０を、デビットカード挿入排出口６１に挿入する。すると、プリペイメント処理装置７の金額選択ボタンが点滅して、金額ボタンの選定を促す。顧客は、２０，０００円の金額ボタンを押した。表示部７３には、２０，０００円のプリペイド料金に加えて、１００円の装置利用料、およびそれらが合算された２０，１００円の合計金額がそれぞれ表示される。
【００２９】
そして顧客は、その合計金額を見て了解したので、プリペイメント処理装置７の確認ボタンを押した。すると、表示部６６あるいは表示部７３には、発券中の表示が現れた。つぎに、表示部６６あるいは表示部７３はデビットカードのＰＩＮ番号（暗証番号）の入力を促す。顧客は、デビットカード処理装置６のＰＩＮ投入キーでＰＩＮ番号を入れた。
【００３０】
顧客のデビットカードは使用の許可が確認されたので、レシートが計算書排出部６７から排出され、次いでデビットカード挿入排出口６１から排出され、顧客は受け取る。そして、２０，０００円のプリペイドカードが、プリペイドカード販売口７６から顧客へ提供された。顧客は、受け取ったプリペイドカードを用いてパチンコ台にて遊技を行った。そして、顧客の口座である利用者口座からは２０，１００円が即時引き落としされた。
【００３１】
図３は、図１に示すサービス提供装置を、パチンコ店に利用した場合の機能構成例を示す図である。ここで、デビットカード処理装置６とプリペイメント処理装置７は接続部１３を介して接続されている。そして、デビットカード処理装置６は、ネットワーク２を介してデビットカードのシステム３と接続され、デビットカードのシステム３を介して、利用者口座４から代金の引き落としが行われる。また、プリペイメント処理装置７は、ＬＡＮなどのネットワークで管理コンピュータ８と接続されている。
【００３２】
ここで、デビットカード処理装置６は、デビットカード挿入排出口６１、デビットカード読取部６２、制御部６３、操作部６４、通信部６５、表示部６６および計算書排出部６７を有する。
【００３３】
デビットカード挿入排出口６１は、デビットカードの挿入を受け付け、処理が終了した場合は排出する。デビットカード読取部６２は、挿入されたデビットカードの情報を読み取るデビットカードリーダーである。制御部６３は、デビットカード処理装置６の処理を制御する。操作部６４は、ＰＩＮ投入キーで入力された情報を格納し伝搬する。
【００３４】
通信部６５は、ネットワーク２を介してデビットカードのシステム３との間で情報のやり取りを行う。具体的には、デビットカード読取部６２で読み取られた情報を送信し、デビットカードのシステム３に照会を行い、照会した結果の情報をデビットカードのシステム３から受信する。
【００３５】
表示部６６は、デビットカードの情報を表示するディスプレイであり、特に制限されないが液晶表示装置で構成される。計算書排出部６７は、デビットカード利用に関する料金が掲載されている計算書を排出する。
【００３６】
次に、プリペイメント処理装置７について説明する。プリペイメント処理装置７は、制御部７１、操作部７２、表示部７３、通信部７４、プリペイドカード発行滞留部７５、プリペイドカード販売口７６およびプリペイドカード収納庫７７を有する。
【００３７】
制御部７１は、プリペイメント処理装置７の処理を制御する。操作部７２は、金額選択ボタンや確認ボタンで入力された情報を格納し伝搬する。表示部７３は、プリペイドカードの発券に関する情報を表示するディスプレイであり、特に制限されないが液晶表示装置で構成される。
【００３８】
通信部７４は、ＬＡＮなどを介して管理コンピュータ８と接続されている。具体的には、プリペイドカード発券状況、システムの稼動状況などの様々な管理情報を管理コンピュータ８へ送信する。
【００３９】
プリペイドカード発行滞留部７５は、デビットカードが挿入されると、照会前に予め収納庫からプリペイドカードを取り出し、照会終了後、すぐに顧客へプリペイドカードを提供できるように一時保留しておく。
【００４０】
プリペイドカード販売口７６は、提供可能なプリペイドカードを排出する。なお、デビットカードの照会の結果、カードの使用が認められなかった場合は、一旦、プリペイドカード発行滞留部７５に伝搬された提供不能となったプリペイドカードは、再度、プリペイドカード収納庫７７へ返納される。
【００４１】
図４は、本発明の実施形態に係るサービス提供方法を、パチンコ店に利用した場合における、取引開始から確認ボタン押下までの処理フローを示す図である。ここで、ステップ１００乃至１０４は、デビットカード処理装置６の処理ステップを示す。そして、ステップ２００乃至２０７は、プリペイメント処理装置７の処理ステップを示す。
【００４２】
デビットカード処理装置６およびプリペイメント処理装置７は、それぞれ待機中（Ｓ１００、Ｓ２００）であるが、デビットカード処理装置６はデビットカード１０の挿入を受け付けると（Ｓ１０１）、購入券種の選定をプリペイメント処理装置７に依頼する（Ｓ１０２）。
【００４３】
プリペイメント処理装置７は、カード挿入通知を受け付けると、金額ボタンの押下を促進する表示を行い（Ｓ２０１）、金額ボタンを点滅表示する（Ｓ２０２）。そして、金額ボタンが押下されると（Ｓ２０３）、デビットカード処理装置６へ券種選定情報を通知する。デビットカード処理装置６は、券種選定情報を受け付けると、確認ボタン押下待ちになる（Ｓ１０３）。
【００４４】
プリペイメント処理装置７は、プリペイドカードの購入金額および装置利用料の表示を行い（Ｓ２０４）、確認ボタンの押下を促進する表示を行い、確認ボタンを点滅表示する（Ｓ２０５）。そして、確認ボタンが押下されると（Ｓ２０６）、デビットカード処理装置６へ合計支払金額情報を通知し、プリペイドカード発行滞留部７５にプリペイドカードの取り出しを行わせるとともに、発券中の表示を行う（Ｓ２０７）。デビットカード処理装置６も合計支払金額情報を受け付けると、発券中の表示を行う（Ｓ１０４）。そして、次の支払い処理のステップへと進んでいく。
【００４５】
図５は、本発明の実施形態に係るサービス提供方法を、パチンコ店に利用した場合における、支払処理から取引終了までの処理フローを示す図である。ここで、ステップ１０４乃至１１１は、デビットカード処理装置６の処理ステップを示す。そして、ステップ２０７乃至２１３は、プリペイメント処理装置７の処理ステップを示す。
【００４６】
デビットカード処理装置６およびプリペイメント処理装置７は、それぞれ発券中（Ｓ１０４、Ｓ２０７）であるが、プリペイメント処理装置７のプリペイドカード発行滞留部７５にプリペイドカード１１の取り出しができると（Ｓ２０８）、デビットカード処理装置６へ発券完了の通知を行う（Ｓ２０９）。
【００４７】
デビットカード処理装置６は、発券完了通知を受け付けると、合計支払い金額を表示し（Ｓ１０５）、暗証番号（ＰＩＮ番号）の入力を促す（Ｓ１０６）。暗証番号（ＰＩＮ番号）の入力を受け付けると（Ｓ１０７）、デビットカード処理装置６は通信部６５からネットワーク２を介して、デビットカードのシステム３へカード情報の照会を行い、使用可能である場合には支払い処理を行う（Ｓ１０８）。すると、デビットカードのシステム３は利用者口座から、合計支払い金額を引き落とす。
【００４８】
支払い手続きが完了すると、デビットカード処理装置６は、プリペイメント処理装置７へ手続完了の通知を出す。そして、プリペイメント処理装置７は、手続完了通知を受け付けると、デビットカード１０の抜取待ち状態になる（Ｓ２１０）。
【００４９】
デビットカード処理装置６は、デビットカード計算書１２を計算書排出部６７から排出する（Ｓ１０９）。そして、デビットカードの抜き取りが行われると（Ｓ１１０）、支払い処理完了をプリペイメント処理装置７へ通知し取引終了となると（Ｓ１１１）、プリペイメント処理装置７からの取引完了通知を待ち、取引完了通知を受け付けると処理が終了し、初期の待機中に戻る（Ｓ１００）。
【００５０】
プリペイメント処理装置７は、支払処理完了通知を受け付けると、排出中の表示を行い（Ｓ２１１）、プリペイドカード１１をプリペイドカード販売口７６へ伝搬させ（Ｓ２１２）、プリペイドカード１１が抜き取られると（Ｓ２１３）、取引完了通知をデビットカード処理装置６へ通知し、初期の待機中に戻る（Ｓ２００）。
【００５１】
このように本実施形態によれば、サービス利用者にデビットカード用サービス提供装置の利用料の表示の後に、サービスの提供を行うことができるので、利用者の意図に合致したサービスを迅速かつ簡便に提供することができる。
【００５２】
なお、本発明は上記実施の形態に限定されず、種々の変形及び応用が可能である。例えば、システム構成や画面構成は適宜変更可能である。また、実質的に同一の機能が実現できるならば、処理手順なども適宜変更可能である。
【００５３】
たとえば、お米券などの食料品と交換可能なプリペイドカード、交通機関の乗車券として機能するプリペイドカードの提供に本発明を用いてもよい。さらに、プリペイドカードの代わりに商品そのものが提供されるサービス提供装置を排除するものではない。
【００５４】
【発明の効果】
以上説明したように、本発明のサービス提供装置によれば、店舗側にランニングコスト増の負担なくデビットカードを用いたサービスの提供を行うことができる。
【図面の簡単な説明】
【図１】本発明の実施形態に係るサービス提供装置およびサービス提供方法に関する概念図である。
【図２】図１に示すサービス提供装置を、パチンコ店に利用した場合の外観構成例を示す図である。
【図３】図１に示すサービス提供装置を、パチンコ店に利用した場合の機能構成例を示す図である。
【図４】本発明の実施形態に係るサービス提供方法を、パチンコ店に利用した場合における、取引開始から確認ボタン押下までの処理フローを示す図である。
【図５】本発明の実施形態に係るサービス提供方法を、パチンコ店に利用した場合における、支払処理から取引終了までの処理フローを示す図である。
【符号の説明】
１　　　遊技場
２　　　ネットワーク
３　　　デビットカードのシステム
４　　　利用者口座
５　　　加盟店口座
６　　　デビットカード処理装置
７　　　プリペイメント処理装置
８　　　管理コンピュータ
９　　　パチンコ台
１０　　　デビットカード
１１　　　プリペイドカード
１２　　　デビットカード計算書
１３　　　接続部
６１　　　デビットカード挿入排出口
６２　　　デビットカード読取部
６３　　　制御部
６４　　　操作部
６５　　　通信部
６６　　　表示部
６７　　　計算書排出部
７１　　　制御部
７２　　　操作部
７３　　　表示部
７４　　　通信部
７５　　　プリペイドカード発行滞留部
７６　　　プリペイドカード販売口
７７　　　プリペイドカード収納庫
７８　　　カード挿入口
【図１】
2004013856.tif 000003
【図２】
2004013856.tif 000004
【図３】
2004013856.tif 000005
【図４】
2004013856.tif 000006
【図５】
2004013856.tif 000007